(57)【要約】【課題】フェース部の耐久性の低下を抑制しつつ、反発性能を向上することができるゴルフクラブヘッドを提供する。【解決手段】本発明に係るゴルフクラブヘッドは、フェース部と、クラウン部と、ソール部と、を備え、前記フェース部は、トゥ側の周縁部に薄肉部を有しており、前記ソール部は、少なくともヒール側において、トゥ−ヒール方向に延びる易変形部を有している。【選択図】図２
2018102857.tif 000002
【特許請求の範囲】
【請求項１】
フェース部と、
クラウン部と、
ソール部と、
を備え、
前記フェース部は、トゥ側の周縁部に薄肉部を有しており、
前記ソール部は、少なくともヒール側において、トゥ−ヒール方向に延びる易変形部を有している、ゴルフクラブヘッド。
【請求項２】
前記易変形部は、当該ソール部のヒール側の端部付近からトゥ−ヒール方向の中央付近まで延びている、請求項１に記載のゴルフクラブヘッド。
【請求項３】
前記易変形部は、溝部によって形成され、当該溝の深さが、前記ヒール側からトゥ側にいくにしたがって浅くなっている、請求項２に記載のゴルフクラブヘッド。
【請求項４】
前記易変形部は、フェース−バック方向において、前記フェース部から２５ｍｍ以内の位置に形成されている、請求項１から３のいずれかに記載のゴルフクラブヘッド。
【請求項５】
前記フェース部の薄肉部は、前記クラウン部側に沿う第１部位と、前記ソール部側に沿う第２部位とが連結された屈曲した形状をなしている、請求項１から４のいずれかに記載のゴルフクラブヘッド。
【請求項６】
当該ゴルフクラブヘッドを前記フェース部側からバック方向へ見たとき、前記フェース部の薄肉部と、前記ソール部の易変形部とは、前記フェース部の中心を挟んで対向するように配置されている、請求項１から５のいずれかに記載のゴルフクラブヘッド。
【請求項７】
前記クラウン部は、前記フェース部に沿う第１周縁領域と、第１本体領域とで構成され、
前記ソール部は、前記フェース部に沿う第２周縁領域と、第２本体領域とで構成され、
前記クラウン部の第１本体領域と、前記ソール部の第２本体領域とにより、当該両本体領域で囲まれた開口を有するゴルフクラブヘッド本体が構成され、
前記フェース部、第１周縁領域、及び第２周縁領域により、フェース用部材が構成され、
前記フェース用部材の第１及び第２周縁領域が、前記ゴルフクラブヘッド本体の開口周縁に接合されることで、当該ゴルフクラブヘッドが形成され、
前記易変形部は、前記第２本体領域に形成されている、請求項１から６のいずれかに記載のゴルフクラブヘッド。
【発明の詳細な説明】
【技術分野】
【０００１】
本発明は、ゴルフクラブヘッドに関する。
【背景技術】
【０００２】
ウッド型のゴルフクラブのヘッドは、従来から、多くの改良がなされており、特に、ボールを打撃するフェース部については種々の提案がなされている。一般的に、フェース部の中央領域は、ボールを最も打撃することから、肉厚を大きくし、機械的強度を向上している。一方、中央領域からトゥ側あるいはヒール側の領域は、中央領域よりも肉厚が小さくなっており、これによって反発性能を向上している。例えば、特許文献１に開示されたゴルフクラブでは、フェース部のトゥ側及びヒール側の周縁に薄肉部を形成し、反発性能の高い領域をトゥ側及びヒール側まで広げている。
【先行技術文献】
【特許文献】
【０００３】
【特許文献１】特許第５５８３８２７号公報
【発明の概要】
【発明が解決しようとする課題】
【０００４】
しかしながら、上記のようなゴルフクラブでは、トゥ側及びヒール側の反発性能を高めることができるものの、フェース部のトゥ−ヒール方向の両側に薄肉部が形成されているため、耐久性が低くなるという問題があった。本発明は、上記問題を解決するためになされたものであり、フェース部の耐久性の低下を抑制しつつ、反発性能を向上することができるゴルフクラブヘッドを提供することを目的とする。
【課題を解決するための手段】
【０００５】
本発明に係るゴルフクラブヘッドは、フェース部と、クラウン部と、ソール部と、を備え、前記フェース部は、トゥ側の周縁部に薄肉部を有しており、前記ソール部は、少なくともヒール側において、トゥ−ヒール方向に延びる易変形部を有している。
【０００６】
上記ゴルフクラブヘッドにおいて、前記易変形部は、当該ソール部のヒール側の端部付近からトゥ−ヒール方向の中央付近まで延びるように構成することができる。
【０００７】
上記ゴルフクラブヘッドにおいて、前記易変形部は、溝部によって形成され、当該溝の深さが、前記ヒール側からトゥ側にいくにしたがって浅くなるように構成することができる。
【０００８】
上記各ゴルフクラブヘッドにおいて、前記易変形部は、フェース−バック方向において、前記フェース部から２５ｍｍ以内の位置に形成することができる。
【０００９】
上記各ゴルフクラブヘッドにおいて、前記フェース部の薄肉部は、前記クラウン部側に沿う第１部位と、前記ソール部側に沿う第２部位とが連結された屈曲した形状をなすように形成することができる。
【００１０】
上記各ゴルフクラブヘッドにおいて、当該ゴルフクラブヘッドを前記フェース部側からバック方向へ見たとき、前記フェース部の薄肉部と、前記ソール部の易変形部とは、前記フェース部の中心を挟んで対向するように配置することができる。
【００１１】
上記各ゴルフクラブヘッドにおいては、前記クラウン部は、前記フェース部に沿う第１周縁領域と、第１本体領域とで構成され、前記ソール部は、前記フェース部に沿う第２周縁領域と、第２本体領域とで構成され、前記クラウン部の第１本体領域と、前記ソール部の第２本体領域とにより、当該両本体領域で囲まれた開口を有するゴルフクラブヘッド本体が構成され、前記フェース部、第１周縁領域、及び第２周縁領域により、フェース用部材が構成され、前記フェース用部材の第１及び第２周縁領域が、前記ゴルフクラブヘッド本体の開口周縁に接合されることで、当該ゴルフクラブヘッドが形成され、前記易変形部は、前記第２本体領域に形成されているものとすることができる。
【発明の効果】
【００１２】
本発明に係るゴルフクラブヘッドによれば、フェース部の耐久性の低下を抑制しつつ、反発性能を向上することができる。
【図面の簡単な説明】
【００１３】
【図１】本実施形態に係るゴルフクラブヘッドの基準状態の斜視図である。
【図２】図１の平面図である。
【図３】図２のＡ−Ａ線断面図である。
【図４Ａ】フェース部の境界を説明する図である。
【図４Ｂ】フェース部の境界を説明する図である。
【図５】フェース部の内面をバック側から見た背面図である。
【図６】ソール部の平面図である。
【図７】打撃時のヘッドの状態を示す正面図である。
【図８Ａ】フェース用部材を構成する平板の平面図である。
【図８Ｂ】図８ＡのＢ−Ｂ線断面図である。
【発明を実施するための形態】
【００１４】
以下、本発明に係るゴルフクラブヘッドの一実施形態について、図面を参照しつつ説明する。
【００１５】
＜１．ゴルフクラブヘッドの概要＞
図１は、このゴルフクラブヘッドの斜視図、図２は、ヘッドの基準状態での平面図、図３は、図２のＡ−Ａ線断面図である。図１に示すように、このゴルフクラブヘッド（以下、単に「ヘッド」ということがある）１００は、内部空間を有する中空構造であり、フェース部１、クラウン部２、ソール部３、及びホーゼル部４によって壁面が形成されたウッド型のゴルフクラブヘッドである。具体的には、ユーティリティ、フェアウェイウッド、ドライバーといったゴルフクラブヘッドに適用することができる。
【００１６】
フェース部１は、ボールを打球する面であるフェース面を有しており、クラウン部２はフェース部１と隣接し、ヘッド１００の上面を構成する。ソール部３は、主としてヘッド１００の底面を構成し、フェース部１とクラウン部２以外のヘッド１００の外周面を構成する。すなわち、ヘッド１００の底面のほか、フェース部１のトウ側からヘッドのバック側を通りフェース部１のヒール側へと延びる部位もソール部３の一部である。さらに、ホーゼル部４は、クラウン部２のヒール側に隣接して設けられる部位であり、ゴルフクラブのシャフト（図示省略）が挿入される挿入孔４１を有している。そして、この挿入孔４１の中心軸線Ｚは、シャフトの軸線に一致している。
【００１７】
ここで、ゴルフクラブヘッド１００を地面に設置するときの基準状態について説明する。まず、図２に示すように、上記中心軸線Ｚが地面に対して垂直な平面Ｐ１に含まれ、且つ所定のライ角及びリアルロフト角で地面上にヘッドが載置された状態を基準状態と規定する。そして、上記平面Ｐ１を基準垂直面と称する。また、図２に示すように、上記基準垂直面Ｐ１と地面との交線の方向をトゥ−ヒール方向と称し、このトゥ−ヒール方向に対して垂直であり且つ地面に対して平行な方向をフェース−バック方向と称することとする。
【００１８】
本実施形態において、フェース部１とクラウン部２、及びフェース部１とソール部３との境界は、次のように定義することができる。すなわち、両者の間に稜線が形成されている場合には、これが境界となる。一方、明確な稜線が形成されていない場合には、図４Ａに示されるように、ヘッド重心ＧとスイートスポットＳＳとを結ぶ直線Ｎを含む各断面Ｅ１、Ｅ２、Ｅ３…において、図４Ｂに示されるように、フェース外面輪郭線Ｌｆの曲率半径ｒがスイートスポット側からフェース外側に向かって初めて２００ｍｍとなる位置Ｐｅがフェース部１の周縁となり、これがクラウン部２またはソール部３との境界として定義される。なお、スイートスポットＳＳとは、ヘッド重心Ｇを通るフェース面の法線（直線Ｎ）とこのフェース面との交点である。
【００１９】
また、本実施形態において、クラウン部２とソール部３との境界は次のように定義することができる。すなわち、クラウン部２とソール部３との間に稜線が形成されている場合には、これが境界となる。一方、これらの間に明確な稜線が形成されていない場合には、ヘッドを基準状態に設置し、これをヘッド１００の重心の真上から見たときの輪郭が境界となる。
【００２０】
また、ヘッド１００は、例えば、比重がほぼ４．３〜４．５程度のチタン合金（Ｔｉ−６Ａｌ−４Ｖ、Ｔｉ−８Ａｌ−１Ｍｏ−１Ｖ等）で形成することができる。また、チタン合金以外にも、例えばステンレス鋼、マレージング鋼、アルミニウム合金、マグネシウム合金、またはアモルファス合金などの中から１種または２種以上を用いて形成することもできる。
【００２１】
また、このゴルフクラブヘッド１００の体積は、例えば、９０ｃｍ3以上、４６０ｃｍ3以下が望ましい。
【００２２】
＜２．フェース部の構造＞
次に、図５も参照しつつ、フェース部１について説明する。図５はフェース部の内面をバック側から見た背面図である。図３及び図５に示すように、フェース部１において外部を向く面は平坦状に形成されているが、内部を向く面には凹凸が形成されている。これにより、フェース部１は、肉厚の異なる複数の領域で構成されている。図５に示すように、フェース部１には、上下方向及び左右方向（トゥ−ヒール方向）の中央付近に略長方形状の中央領域１１が設けられている。そして、この中央領域１１を囲むように、肉厚が変化する第１移行領域１２が形成されている。また、この第１移行領域１２を囲むように肉厚が変化する第２移行領域１３が形成されている。そして、この第２移行領域１３のトゥ側及びヒール側には、それぞれ厚みが一定のトゥ周縁領域１４及びヒール周縁領域１５が形成されており、これら周縁領域１４，１５はフェース部１の周縁まで延びている。さらに、トゥ側周縁領域１４のトゥ側の縁部には、Ｖ字状の薄肉部１６が形成されている。
【００２３】
中央領域１１は最も肉厚の大きい領域であり、その肉厚は、例えば、３．０〜４．２ｍｍであることが好ましく、３．４〜３．８ｍｍであることがさらに好ましい。この中央領域１１は略長方形状に形成されており、長辺がトゥ側の下部とヒール側の上部とを結ぶ方向に延びている。第１移行領域１２は、中央領域１１から離れるにしたがって肉厚が漸進的に小さくなるように形成されており、その肉厚は、例えば、２．８〜３．４ｍｍとすることができる。また、中央領域１１と同様に外縁が略長方形状に形成されており、その向きも中央領域１１とほぼ同じである。
【００２４】
第２移行領域１３は、第１移行領域１２から離れるにしたがって肉厚が漸進的に小さくなるように形成されており、その肉厚は、例えば、１．８〜２．６ｍｍとすることができる。また、第２移行領域１３の外縁は略長方形状に形成されており、上下の角部は、フェース部１の縁部に接している。また、これら上下の角部は、概ね中央領域１１の長辺の延びる方向に位置している。一方、第２移行領域１３の他の２つの角部は、トゥ側及びヒール側に配置されている。
【００２５】
両周縁領域１４，１５は、それぞれ第２移行領域１３よりもトゥ側及びヒール側に配置され、その肉厚は、例えば、１．５〜２．４ｍｍとすることができる。ヒール側周縁領域１５は、ヒール側において、第２移行領域１３とフェース部１の周縁との間で延びている。一方、トゥ側周縁領域１４は、トゥ側において第２移行領域１３とフェース部１の周縁との間で延びているが、フェース部１のトゥ側の角部１８、つまりクラウン部２とソール部３とがに連結する部分には、トゥ側周縁領域１４よりもさらに厚みの小さい薄肉部１６が形成されている。
【００２６】
薄肉部１６は、フェース部１の縁部において、クラウン部２に沿う第１部位１６１と、ソール部３に沿う第２部位１６２とが連結されたＶ字状に形成されている。より詳細には、第１部位１６１は、フェース部１のトゥ側の角部１８と第２移行領域１３の上側の角部との間で延びているが、第２移行領域１３には接していない。一方、第２部位１６２は、フェース部１のトゥ側の角部１８から第２移行領域１３の下側の角部との間で延びているが、第２移行領域１３には接していない。薄肉部１６の肉厚は、例えば、１．０〜１．８ｍｍであることが好ましく、１．２〜１．６ｍｍであることがさらに好ましい。なお、以上の厚みに係る数値は一例であり、特に、ゴルフクラブヘッドがドライバーである場合に適した数値である。したがって、ドライバー以外のゴルフクラブヘッドである場合には、例えば、上記の数値よりも小さくすることができる。
【００２７】
＜３．ソール部の構造＞
続いて、図６も参照しつつ、フェース部１について説明する。図６はソール部の平面図である。同図に示すように、ソール部３には、デザイン上などの理由から、複数の凹凸が形成されているが、特に、本実施形態では、フェース部１側において、トゥーヒール方向に延びる溝部３１が形成されている。また、この溝部３１よりもバック側でソール部３の縁部付近には、六角形状の凹部３２が形成されており、この凹部３２に重り（図示省略）を配置するようになっている。
【００２８】
溝部３１は、ソール部３におけるヒール側の端部付近から、トゥ−ヒール方向の中心付近まで延びている。そして、溝部３１の幅Ｗは、ヒール側からトゥ側に向かって漸進的に小さくなっており、その幅Ｗは、例えば、２．０〜１５．０ｍｍにすることができる。また、溝部３１の深さＤもヒール側からトゥ側に向かって漸進的に浅くなっており、例えば、その深さＤは、最も深いところで０．８〜３．０ｍｍとすることができる。
【００２９】
溝部３１は、ソール部３におけるフェース部１側の縁部と概ね平行に延びており、また、フェース部１からの距離Ｓは、２５．０ｍｍ以下とすることができる。このようにすると、後述するように、フェース部１の反発性能の向上に寄与する。但し、後述するカップフェース構造を採用する場合には、フェース用部材１０２の周縁部１９とヘッド本体１０１のソール部３との接合位置よりもバック側に配置することができる。
【００３０】
＜４．ゴルフクラブヘッドの組立構造＞
本実施形態に係るゴルフクラブヘッド１００は、図３に示すように、クラウン部２及びソール部３を有するヘッド本体１０１と、フェース部１及びその周縁から延びる周縁部１９を有するカップ状に形成されたフェース用部材１０２と、を組み立てることで構成される。このヘッド本体１０１は、クラウン部２及びソール部３で囲まれた開口１７を有し、この開口１７を塞ぐようにフェース用部材１０２が取り付けられる。すなわち、フェース用部材１０２の周縁部１９の端面が、ヘッド本体１０１の開口１７の端面と突き合わされ、これらが、溶接によって接合される（いわゆるカップフェース構造）。そして、フェース用部材１０２は、ヘッド本体１０１の開口１７の縁部に取付けられることで、ヘッド本体１０１と一体化され、これによって、フェース用部材１０２の周縁部１９は、ヘッド１００のクラウン部２及びソール部３の一部として機能する。
【００３１】
したがって、フェース用部材１０２の周縁部（第１周縁領域及び第２周縁領域）１９がヘッド本体１０１に取付けられることで一体的に形成される面が、ヘッド１００のクラウン部２及びソール部３を構成する。そのため、厳密には、ヘッド本体１０１のクラウン部（第１本体領域）２及びソール部（第２本体領域）３は、ヘッド１００のクラウン部２及びソール部３の一部ではあるが、本明細書では、これらを区別することなく、ヘッド本体１０１の各部も、単にクラウン部２、ソール部３と称することがある。
【００３２】
＜５．ゴルフクラブヘッドの製造方法＞
次に、上記のゴルフクラブヘッドの製造方法の一例について説明する。まず、上述したヘッド本体１０１とフェース用部材１０２とを準備する。このようなヘッド本体１０１及びフェース用部材１０２は、種々の方法で作製することができる。例えば、ヘッド本体１０１は、公知のロストワックス精密鋳造法などの鋳造によって製造することができる。また、フェース用部材１０２は、例えば、鍛造製法や、平板のプレス加工、鋳造等により製造することができる。また、このとき用いるフェース用部材１０２の加工前の平板は、圧延方向が、フェース部１のトゥ側の上部からヒール側の下部に向かう方向とほぼ一致するように加工される。
【００３３】
そして、これらを、例えば、溶接（ＴＩＧ（タングステン−不活性ガス）溶接、プラズマ溶接、レーザー溶接、ロウ付けなど）により接合した後、所定の塗装を施すと、ゴルフクラブヘッドが完成する。
【００３４】
＜６．特徴＞
以上の実施形態によれば、次の効果を得ることができる。
【００３５】
(1) 本実施形態では、フェース部１のトゥ側の縁部に薄肉部１６が形成されているため、フェース部１におけるトゥ側の撓みを励起し、反発性能を向上させることができる。特に、薄肉部１６はＶ字状に形成されているため、このＶ字によって囲まれた領域、つまりフェース部１の中心である中央領域１１に向かう領域で撓みを励起することができるため、フェース部１のトゥ側の角部１８から中央領域１１に向かう部分での反発性能を向上することができる。但し、フェース部１には、トゥ側にのみ薄肉部１６が形成され、ヒール側には形成されていない。これによって、フェース部１の耐久性が低下するのを防止している。
【００３６】
また、ソール部３には、トゥ−ヒール方向に延びる溝部３１が形成されているが、これによってフェース部１でボールを打撃したときに、ソール部３をフェース−バック方向に撓ませることができるため、反発性能を向上することができる。特に、溝部３１は、ヒール部側に配置されているため、フェース部１のヒール側における反発性能を向上することができる。
【００３７】
このように、本実施形態では、フェース部１の薄肉部１６とソール部３の溝部３１とによってフェース部１のトゥ側及びヒール側の両方の反発性能を向上することができる。すなわち、反発性能の高い領域を、中央領域１１からトゥ側及びヒール側に広げることができる。その一方で、フェース部１にはトゥ側にのみ薄肉部１６が形成されているため、フェース部１の耐久性が低下するのを防止することができる。なお、本実施形態においては、フェース部１をカップフェース構造で形成し、フェース用部材１０２とヘッド本体１０１とを別部材で形成している。そして、ヘッド本体１０１はフェース部１ほどは耐久性が要求されないため、ヘッド本体１０１のソール部２に溝部３１を形成しても耐久性には問題がない。
【００３８】
(2) 上記のように、溝部３１は、ヒール側に配置され、且つトゥ側に向かって幅が狭くなり、且つ深さが小さくなっている。そのため、溝部３１による反発性能の向上は主としてヒール側に現れるようになっている。これにより、次の効果を得ることができる。例えば、フェース部１の中央領域１１の直下付近まで溝部３１の幅を大きくしたり深くすると、この部分まで反発性能が高くなる可能性がある。しかし、フェース部１の中央領域１１を挟んで上下に延びる領域はもともと距離が長い部分であるため、反発が得やすい領域である。したがって、この領域の反発性能の向上が過度に大きくならないように、溝部３１の幅や深さを上記のように調整している。その結果、フェース部１のトゥ−ヒール方向の中央付近における反発性能の過度な向上を抑え、ヒール側の反発性能を向上しているため、フェース部１における反発性能の高い領域を適切に広げることができる。
【００３９】
(3) フェース部１の薄肉部１６とソール部３の溝部３１とは、フェース部１を正面からバック側に向かって見たとき、中央領域１１を挟んで対向するように配置されている。これにより、フェース部１のトゥ側の上部からフェース部１のヒール側の下部に向かって反発性能の高い領域が形成されている。この領域を高反発領域Ｚと称することとする。これにより、次のような利点がある。
【００４０】
ゴルフクラブは、スイング時にシャフトがしなり、ヘッドのトゥ側がやや下がる傾向にある。そのため、ヘッドのトゥ側が下がり、ヒール側が上がった状態で、ボールを打撃することになる。その結果、上記のように形成された高反発領域Ｚは、打撃時には、図７に示すように、水平方向に近づくような向きに配置される（但し、図７は、説明の便宜のため、高反発領域Ｚが水平方向を向くように誇張している）。そのため、ゴルファーの水平方向の打点のばらつきをカバーすることができ、いずれの位置で打撃しても高反発領域Ｚで打撃することができる。したがって、打点が中央領域１１から外れたとしても、高い反発によりボールを打撃することができる。その結果、打点のばらつきによる飛距離のばらつきを抑制することができる。
【００４１】
(4) 一般的に、圧延により形成される平板は、図８Ｂに示すように、圧延方向と直交する方向（矢印）に撓みやすい。そのため、上記のように、フェース用部材１０２の平板の圧延方向を、概ね高反発領域Ｚの延びる方向と一致させると、高反発領域における反発性能をさらに向上することができる。
【００４２】
(5) ソール部３に溝部３１が形成されているため、ソール部３の表面積が大きくなり、その結果、ソール部３の重量を増加することができる。特に、ヒール側の重量を増加することができるため、ヘッドの重心をソール部３のヒール側に移動させることができる。その結果、スイング時にヘッドをシャフト軸周りに回転させやすくなり、インパクト時にフェース面をターゲットラインにスクエアに戻しやすくなる。そのため、打球をターゲット方向に飛ばし易くなる。
【００４３】
＜７．変形例＞
以上、本発明の一実施形態について説明したが、本発明は上記実施形態に限定されるものではなく、その趣旨を逸脱しない限りにおいて、種々の変更が可能である。また、以下の変形例は、適宜組み合わせることができる。例えば、以下の変更が可能である。
【００４４】
＜７−１＞
上記実施形態では、ソール部３に溝部３１を形成することで、フェース部１の反発性能を向上するようにしているが、これ以外の構成で本発明に係る易変形部を構成することができる。例えば、溝部３１と同様の位置にトゥ−ヒール方向に延びる薄肉部を形成することができる。このような薄肉部は、ソール部３の外壁面、内壁面、あるいは両方を凹ませることで形成することができる。
【００４５】
あるいは、溝部が形成される位置に貫通孔を形成し、この貫通孔に変形しやすい部材を埋め込むことで、本発明の易変形部を形成することもできる。
【００４６】
＜７−２＞
ソール部３の易変形部の位置、長さは、特には限定されず、少なくともヒール側に配置されていればよい。したがって、トゥ−ヒール方向の中央付近まで、あるいは中央付近を越えて設けることもできる。また、溝部３１の幅、深さは適宜変形することができる。さらに、易変形部は、概ねトゥ−ヒール方向に延びていればよく、厳密でなくてもよい。
【００４７】
＜７−３＞
フェース部１の薄肉部１６の態様、形状は特には限定されず、トゥ側の周縁部に設けられていればよい。上記実施形態では、フェース部１のトゥ側の角部１８を挟むようにＶ字状に形成しているが、これに限定されるものではなく、クラウン部２に沿う第１部位１６１のみ、ソール部３に沿う第２部位１６２のみで形成したり、それ以外の態様でもよい。また、フェース部１の周縁に完全に沿う必要はなく、周縁から多少離れた位置に薄肉部１６が形成されていてもよい。
【００４８】
＜７−４＞
上記実施形態に係るヘッドは、カップフェース構造を有しているが、その他の態様であってもよい。例えば、フェース部１及びソール部３を備え、クラウン部２用の開口が形成されたヘッド本体に対し、クラウン部を開口に嵌め込んでヘッドを構成することかできる。また、カップエース構造でなくてもよく、平坦なフェース用部材をヘッド本体に固定することもできる。
【００４９】
＜７−５＞
ソール部３の形状は特には限定されず、少なくとも上記のような溝部等の易変形部が設けられていればよい。したがって、その他の凹部等のデザインは適宜変更することができる。
【符号の説明】
【００５０】
１  フェース部
１６  薄肉部
２  クラウン部
３  ソール部
３１  溝部（易変形部）
４  ホーゼル部
【図１】
2018102857.tif 000003
【図２】
2018102857.tif 000004
【図３】
2018102857.tif 000005
【図４Ａ】
2018102857.tif 000006
【図４Ｂ】
2018102857.tif 000007
【図５】
2018102857.tif 000008
【図６】
2018102857.tif 000009
【図７】
2018102857.tif 000010
【図８Ａ】
2018102857.tif 000011
【図８Ｂ】
2018102857.tif 000012
【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
フェース部と、
クラウン部と、
ソール部と、
を備え、
前記フェース部は、トゥ側の周縁部に薄肉部を有しており、
前記ソール部は、トゥ−ヒール方向に延びる易変形部を、ヒール側に有しているが、トゥ側には有していない、ゴルフクラブヘッド。
【請求項２】
前記易変形部は、当該ソール部のヒール側の端部付近からトゥ−ヒール方向の中央付近まで延びている、請求項１に記載のゴルフクラブヘッド。
【請求項３】
前記易変形部は、溝部によって形成され、当該溝の深さが、前記ヒール側からトゥ側にいくにしたがって浅くなっている、請求項２に記載のゴルフクラブヘッド。
【請求項４】
フェース部と、
クラウン部と、
ソール部と、
を備え、
前記フェース部は、トゥ側の周縁部に薄肉部を有しており、
前記ソール部は、少なくともヒール側において、トゥ−ヒール方向に延びる易変形部を有しており、
前記易変形部は、溝部によって形成され、当該溝の深さが、前記ヒール側からトゥ側にいくにしたがって浅くなっている、ゴルフクラブヘッド。
【請求項５】
前記易変形部は、フェース−バック方向において、前記フェース部から２５ｍｍ以内の位置に形成されている、請求項１から４のいずれかに記載のゴルフクラブヘッド。
【請求項６】
前記フェース部の薄肉部は、前記クラウン部側に沿う第１部位と、前記ソール部側に沿う第２部位とが連結された屈曲した形状をなしている、請求項１から５のいずれかに記載のゴルフクラブヘッド。
【請求項７】
当該ゴルフクラブヘッドを前記フェース部側からバック方向へ見たとき、前記フェース部の薄肉部と、前記ソール部の易変形部とは、前記フェース部の中心を挟んで対向するように配置されている、請求項１から６のいずれかに記載のゴルフクラブヘッド。
【請求項８】
前記クラウン部は、前記フェース部に沿う第１周縁領域と、第１本体領域とで構成され、
前記ソール部は、前記フェース部に沿う第２周縁領域と、第２本体領域とで構成され、
前記クラウン部の第１本体領域と、前記ソール部の第２本体領域とにより、当該両本体領域で囲まれた開口を有するゴルフクラブヘッド本体が構成され、
前記フェース部、第１周縁領域、及び第２周縁領域により、フェース用部材が構成され、
前記フェース用部材の第１及び第２周縁領域が、前記ゴルフクラブヘッド本体の開口周縁に接合されることで、当該ゴルフクラブヘッドが形成され、
前記易変形部は、前記第２本体領域に形成されている、請求項１から７のいずれかに記載のゴルフクラブヘッド。
【手続補正２】
【補正対象書類名】明細書
【補正対象項目名】００２５
【補正方法】変更
【補正の内容】
【００２５】
両周縁領域１４，１５は、それぞれ第２移行領域１３よりもトゥ側及びヒール側に配置され、その肉厚は、例えば、１．５〜２．４ｍｍとすることができる。ヒール側周縁領域１５は、ヒール側において、第２移行領域１３とフェース部１の周縁との間で延びている。一方、トゥ側周縁領域１４は、トゥ側において第２移行領域１３とフェース部１の周縁との間で延びているが、フェース部１のトゥ側の角部１８、つまりクラウン部２とソール部３とが連結する部分には、トゥ側周縁領域１４よりもさらに厚みの小さい薄肉部１６が形成されている。
【手続補正３】
【補正対象書類名】明細書
【補正対象項目名】００４８
【補正方法】変更
【補正の内容】
【００４８】
＜７−４＞
上記実施形態に係るヘッドは、カップフェース構造を有しているが、その他の態様であってもよい。例えば、フェース部１及びソール部３を備え、クラウン部２用の開口が形成されたヘッド本体に対し、クラウン部を開口に嵌め込んでヘッドを構成することができる。また、カップフェース構造でなくてもよく、平坦なフェース用部材をヘッド本体に固定することもできる。